(57)【特許請求の範囲】
【請求項１】
圧縮機構と、圧縮機構を駆動する電動モータと、圧縮機構と電動モータとを収容するハウジングとを備え、密封端子を取り付けた蓋部材でハウジングに形成した開口を塞ぎ、密封端子の導電ピンを電動モータのリード線に接続されたソケットに嵌合させた電動圧縮機であって、ソケットが絶縁性部材に埋設され、絶縁性部材に形成された孔に密封端子の導電ピンが挿入されてソケットに嵌合し、導電ピンの基部を取り巻く絶縁部と前記絶縁性部材とで、導電ピンを取り巻く絶縁性弾性素材からなるリング部材を挟んでいることを特徴とする電動圧縮機。
【請求項２】
密封端子はガラス密封端子であり、導電ピンの基部を取り巻く絶縁部の素材はガラスであることを特徴とする請求項１に記載の電動圧縮機。
【発明の詳細な説明】
【技術分野】
【０００１】
本発明は電動圧縮機に関するものである。
【背景技術】
【０００２】
圧縮機構と、圧縮機構を駆動する電動モータと、圧縮機構と電動モータとを収容するハウジングとを備え、密封端子を取り付けた蓋部材でハウジングに形成した開口を塞ぎ、密封端子の導電ピンを電動モータのリード線に接続されたソケットに嵌合させた電動圧縮機が特許文献１等に開示されている。
特許文献１等に開示された電動圧縮機においては、導電ピンとソケットとの接続部を絶縁するために、一般に、両者を接続した後、ハウジング内に絶縁性樹脂を流し込んで前記接続部を絶縁性樹脂で固めている。
【特許文献１】特開平７−２４７９５９号公報
【発明の開示】
【発明が解決しようとする課題】
【０００３】
ハウジング内に絶縁性樹脂を流し込んで密封端子とソケットとの接続部を絶縁性樹脂で固めた電動圧縮機には、ハウジング内に流し込んだ絶縁性樹脂の硬化待ち時間が発生し、圧縮機の組立作業効率が低下する、密封端子が樹脂で固められてしまい再利用できない等の問題がある。
本発明は上記問題に鑑みてなされたものであり、従来に比べて組立作業効率が高く、密封端子の再利用が可能な、電動圧縮機を提供することを目的とする。
【課題を解決するための手段】
【０００４】
上記課題を解決するために、本発明においては、圧縮機構と、圧縮機構を駆動する電動モータと、圧縮機構と電動モータとを収容するハウジングとを備え、密封端子を取り付けた蓋部材でハウジングに形成した開口を塞ぎ、密封端子の導電ピンを電動モータのリード線に接続されたソケットに嵌合させた電動圧縮機であって、ソケットが絶縁性部材に埋設され、絶縁性部材に形成された孔に密封端子の導電ピンが挿入されてソケットに嵌合し、導電ピンの基部を取り巻く絶縁部と前記絶縁性部材とで、導電ピンを取り巻く絶縁性弾性素材からなるリング部材を挟んでいることを特徴とする電動圧縮機を提供する。
本発明に係る電動圧縮機においては、ソケットを絶縁性部材に埋設し、絶縁性部材に形成された孔に密封端子の導電ピンを挿入してソケットに嵌合させ、導電ピンの基部を取り巻く絶縁部と前記絶縁性部材とで、導電ピンを取り巻く絶縁性弾性素材からなるリング部材を挟むことにより、導電ピンとソケットとの接続部を絶縁している。ハウジング内に絶縁性樹脂を流し込まないので、樹脂硬化的時間は発生せず、圧縮機の組立作業効率は低下しない。密封端子は樹脂で固められないので、再利用できる。
密封端子はガラス密封端子でも良く、ガラス以外の絶縁体を用いた密封端子でも良い。
【発明の効果】
【０００５】
本発明により、従来に比べて組立作業効率が高く、密封端子の再利用が可能な、電動圧縮機が提供される。
【発明を実施するための最良の形態】
【０００６】
本発明の実施例に係る電動圧縮機を説明する。
図１に示すように、スクロール型圧縮機Ａは、中心に吐出孔１ａが形成された端板と渦巻体とを有する固定スクロール１と、端板と渦巻体とを有する可動スクロール２とを備えている。固定スクロール１の渦巻体と可動スクロール２の渦巻体とは互いに噛み合い、複数対の作動空間３を形成している。
主軸４と、主軸４の回転運動を旋回運動に変換して可動スクロール２に伝達する運動変換機構５と、可動スクロール２の自転を防止する自転防止機構６とが配設されている。
ステータ７ａとロータ７ｂとにより構成される主軸駆動用の電動モータ７が配設されている。
固定スクロール１、可動スクロール２、主軸４、運動変換機構５、自転防止機構６により、圧縮機構が形成されている。
ステータ７ａとロータ７ｂとにより構成される電動モータ７が配設されている。電動モータ７は主軸４を駆動し、ひいては圧縮機構を駆動する。
圧縮機構と電動モータ７とはハウジング８内に収容されている。
ハウジング８の内部空間は、固定スクロール１の端板を境にして、吸入室９と吐出室１０とに区画されている。圧縮機構と電動モータ７とは吸入室９内に配設されている。
ハウジング８の、吸入室９の囲壁を形成する部位に吸入ポート１１が形成され、吐出室１０の囲壁を形成する部位に吐出ポート１２が形成されている。吸入ポート１１は空調装置の低圧側回路に接続され、吐出ポート１２は空調装置の高圧側回路に接続されている。
【０００７】
電源に接続された密封端子１３を取り付けた蓋部材１４がハウジング８の筒状突起部８ａの先端に固定され、筒状突起部８ａの先端開口を塞いでいる。電動モータ７のリード線７ｃに接続されたソケット１５が、絶縁性樹脂部材１６に埋設されている。密封端子１３の導電ピン１３ａが、絶縁性樹脂部材１６に形成された孔１６ａに挿入されてソケット１５に嵌合している。導電ピン１３ａの基部を取り巻くガラス、絶縁性樹脂等の素材から成る絶縁部１３ｂと絶縁性樹脂部材１６とで、導電ピン１３ａを取り巻く絶縁性弾性素材からなるリング部材１７を挟んでいる。導電ピン１３ａを取り巻く絶縁性樹脂部材１６と絶縁部１３ｂとの間の環状隙間が、絶縁部１３ｂと絶縁性樹脂部材１６とから押圧力を受けて弾性変形したリング部材１７によりシールされている。
【０００８】
本実施例に係る電動圧縮機Ａにおいては、電動モータ７により主軸４が回転駆動される。主軸４の回転は、運動変換機構５を経て旋回運動に変換され、可動スクロール２に伝達される。可動スクロール２の自転は自転阻止機構６により阻止される。
可動スクロール２が旋回することにより、空調装置の低圧側回路から吸入ポート１１を経て吸入室９へ流入した冷媒ガスが、渦巻体の径方向外方から一対の作動空間３へ取り込まれる。前記一対の作動空間３は、体積を減少させつつ渦巻体の中心部へ向けて移動し、最終的に相互に連通して吐出孔１ａに連通する。作動空間３内で圧縮された冷媒ガスは、吐出孔１ａを開閉する吐出弁を経て吐出室１０に吐出し、吐出ポート１２とを通って、空調装置の高圧側回路へ流出する。
【０００９】
本実施例に係る電動圧縮機Ａにおいては、ソケット１５を絶縁性樹脂部材１６に埋設し、絶縁性樹脂部材１６に形成した孔１６ａに密封端子１３の導電ピン１３ａを挿入してソケット１５に嵌合させ、導電ピン１３ａの基部を取り巻く絶縁部１３ｂと絶縁性樹脂部材１６とで、導電ピン１３ａを取り巻く絶縁性弾性素材からなるリング部材１７を挟むことにより、導電ピン１３ａとソケット１５との接続部を絶縁している。ハウジング８内に絶縁性樹脂を流し込まないので、樹脂硬化的時間は発生せず、電動圧縮機Ａの組立作業効率は低下しない。密封端子１３は樹脂で固められないので、再利用できる。
【産業上の利用可能性】
【００１０】
本発明は電動圧縮機に広く利用可能である。
【図面の簡単な説明】
【００１１】
【図１】本発明の実施例に係る電動圧縮機の断面図である。
【符号の説明】
【００１２】
１  固定スクロール
２  可動スクロール
３  作動空間
７  電動モータ
９  吸入室
１０  吐出室
１３  密封端子
１３ａ  導電ピン
１３ｂ  絶縁部
１５  ソケット
１６  樹脂部材
１７  リング部材
【図１】
0004799180.tif 000002